(57)【特許請求の範囲】
【請求項１】
投光素子を有する投光器と該投光器に対向して配置され前記投光素子と対をなす受光素子を有する受光器とを備えて構成される多光軸光電スイッチの前記投光器及び前記受光器のうち少なくともいずれか一方の本体を、所定の取付箇所に対して回動可能な状態で取り付ける多光軸光電スイッチの取付構造において、
前記投光素子及び前記受光素子の対向方向に沿った方向へと突出する突出部に円弧面を備えるとともに前記取付箇所に固定される第１部材と、
前記円弧面と同一曲率で形成された曲面を有して該円弧面の周方向に沿って移動自在に支持されるとともに第１取付部材によって他方の前記本体との対向面側から前記第１部材に対する回動角度を固定される第１固定部と、前記対向面側からの着脱を許容された第２取付部材によって前記本体に固定される第２固定部と、を有する第２部材と、
を備えたことを特徴とする多光軸光電スイッチの取付構造。
【請求項２】
請求項１に記載の多光軸光電スイッチの取付構造において、
前記第１取付部材は、前記第１固定部の対向面側の面に沿うように形成された当接面を有する第３部材を備え、
前記第２部材は、前記第１部材の前記円弧面と前記第３部材の前記当接面とによって前記第１固定部を狭持されて前記第１部材に固定された
ことを特徴とする多光軸光電スイッチの取付構造。
【請求項３】
請求項１又は２に記載の多光軸光電スイッチの取付構造において、
前記円弧面は、前記対向面上に配置され前記対向方向に対して略直角をなす軸線を中心とする円弧状に形成された
ことを特徴とする多光軸光電スイッチの取付構造。
【請求項４】
投光素子を有する投光器と該投光器に対向して配置され前記投光素子と対をなす受光素子を有する受光器とを備えて構成される多光軸光電スイッチの前記投光器及び前記受光器のうち少なくともいずれか一方の本体を、回動可能な状態で所定の取付箇所に取り付ける多光軸光電スイッチの取付具において、
前記投光素子及び前記受光素子の対向方向に沿った方向へと突出する突出部に円弧面を備えるとともに前記取付箇所に固定される第１部材と、
前記円弧面と同一曲率で形成された曲面を有して該円弧面の周方向に沿って移動自在に支持されるとともに第１取付部材によって他方の前記本体との対向面側から前記第１部材に対する回動角度を固定される第１固定部と、前記対向面側からの着脱を許容された第２取付部材によって前記本体に固定される第２固定部と、を有する第２部材と、
を備えたことを特徴とする多光軸光電スイッチの取付具。
【請求項５】
請求項４に記載の多光軸光電スイッチの取付具において、
前記第１取付部材は、前記第１固定部の対向面側の面に沿うように形成された当接面を有する第３部材を備え、
前記第２部材は、前記第１部材の前記円弧面と前記第３部材の前記当接面とによって前記第１固定部を狭持されて前記第１部材に固定された
ことを特徴とする多光軸光電スイッチの取付具。
【請求項６】
請求項４又は５に記載の多光軸光電スイッチの取付具において、
前記円弧面は、前記対向面上に配置され前記対向方向に対して略直角をなす軸線を中心とする円弧状に形成された
ことを特徴とする多光軸光電スイッチの取付具。
【請求項７】
投光素子を有する投光器と該投光器に対向して配置され前記投光素子と対をなす受光素子を有する受光器とを備えて構成される多光軸光電スイッチであって、
前記投光器及び前記受光器のうち少なくともいずれか一方の本体は、所定の取付箇所に対して回動可能な状態で取り付けられ、
前記投光素子及び前記受光素子の対向方向に沿った方向へと突出する突出部に円弧面を備えるとともに前記取付箇所に固定される第１部材と、
前記円弧面と同一曲率で形成された曲面を有して該円弧面の周方向に沿って移動自在に支持されるとともに第１取付部材によって他方の前記本体との対向面側から前記第１部材に対する回動角度を固定される第１固定部と、前記対向面側からの着脱を許容された第２取付部材によって前記本体に固定される第２固定部と、を有する第２部材と、
を備えたことを特徴とする多光軸光電スイッチ。
【発明の詳細な説明】
【技術分野】
【０００１】
本発明は多光軸光電スイッチの取付構造、多光軸光電スイッチの取付具及び多光軸光電スイッチに関する。
【背景技術】
【０００２】
従来、投光素子を備えた投光器と受光素子を備えた受光器とから構成される多光軸光電スイッチを所定の取付箇所に対して回動可能な状態で取り付ける多光軸光電スイッチの取付構造が提案されている。
【０００３】
例えば、特許文献１には、多光軸光電スイッチ本体の端部に設けられた略円筒状の軸部を所定の取付箇所に固定される取付具によって保持することにより、該取付箇所に対して前記軸部周りで回動可能な状態で取り付ける取付構造が記載されている。また、例えば特許文献２には、多光軸光電スイッチ本体の長手方向に沿って伸びる円弧面を備えた突起部と多光軸光電スイッチ本体の長手方向端面に固定される第１部材を第２部材と第３部材とによって前後方向から狭持することにより、多光軸光電スイッチ本体を取付箇所に対して該円弧面に沿って回動可能な状態で取り付ける取付構造が記載されている。
【特許文献１】特開平１１−３２９１８０号公報
【特許文献２】特開２００４−３６３０５７号公報
【発明の開示】
【発明が解決しようとする課題】
【０００４】
しかしながら、特許文献１に記載されている多光軸光電スイッチの取付構造によれば、多光軸光電スイッチの軸部が取付具によって狭持されることにより多光軸光電スイッチが所定の投光（受光）角度を有して保持されているため、本体を取り替える毎に投光（受光）角度を調整しなおす必要があった。また、特許文献２に記載されている多光軸光電スイッチの取付構造によれば、長手方向に沿って貫通する貫通孔を有し該貫通孔に挿通されるねじによって多光軸光電スイッチ本体の端面に固定されている。そのため、長手方向にスペースがない場合にスイッチを交換する際には、第１部材を取付箇所に取り付けられている第２部材から取り外した後に、該第１部材から多光軸光電スイッチ本体を取り外さなければならない。よって、多光軸光電スイッチ本体を取り替える毎に投光（受光）角度を調整しなおす必要があった。
【０００５】
本発明は、こうした実情に鑑みてなされたものであって、その目的は、多光軸光電スイッチ本体を取り替える毎に投光（受光）角度を調整しなおすことなく多光軸光電スイッチ本体の交換を行うことができる多光軸光電センサの取付構造、多光軸光電スイッチの取付具及び多光軸光電スイッチを提供することにある。
【課題を解決するための手段】
【０００６】
上記課題を解決するため、請求項１に記載の発明は、投光素子を有する投光器と該投光器に対向して配置され前記投光素子と対をなす受光素子を有する受光器とを備えて構成される多光軸光電スイッチの前記投光器及び前記受光器のうち少なくともいずれか一方の本体を、所定の取付箇所に対して回動可能な状態で取り付ける多光軸光電スイッチの取付構造において、前記投光素子及び前記受光素子の対向方向に沿った方向へと突出する突出部に円弧面を備えるとともに前記取付箇所に固定される第１部材と、前記円弧面と同一曲率で形成された曲面を有して該円弧面の周方向に沿って移動自在に支持されるとともに第１取付部材によって他方の前記本体との対向面側から前記第１部材に対する回動角度を固定される第１固定部と、前記対向面側からの着脱を許容された第２取付部材によって前記本体に固定される第２固定部と、を有する第２部材と、を備えたことを特徴とする。
【０００７】
同構成によれば、第２部材を多光軸光電スイッチ本体に固定する第２取付部材は対向面側からの着脱を許容されるため、対向方向に沿った方向に対して直角な方向にスペースがない場合でも第２部材の第１固定部を第１部材に固定したまま多光軸光電スイッチ本体を対向面側から取り外すことができる。そのため、取付箇所に対する第２部材の角度を保持したまま多光軸光電スイッチ本体を交換することが可能となり、多光軸光電スイッチ本体を交換する際には多光軸光電スイッチ本体を第２部材の第２固定部に固定することによって取付箇所に対する多光軸光電スイッチ本体の角度を交換の前後で一致させることができる。よって、多光軸光電スイッチ本体を取り替える毎に投光（受光）角度を調整しなおすことなく多光軸光電スイッチ本体の交換を行うことができる。
【０００８】
また、請求項２に記載の発明は、請求項１に記載の多光軸光電スイッチの取付構造において、前記第１取付部材は、前記第１固定部の対向面側の面に沿うように形成された当接面を有する第３部材を備え、前記第２部材は、前記第１部材の前記円弧面と前記第３部材の前記当接面とによって前記第１固定部を狭持されて前記第１部材に固定された。
【０００９】
同構成によれば、第２部材は第１部材の円弧面と第３部材の当接面とによって第１固定部を狭持されて第１部材に固定されるため、第２部材をより確実に第１部材に固定することができる。
【００１０】
また、請求項３に記載の発明は、請求項１又は２に記載の多光軸光電スイッチの取付構造において、前記円弧面は、前記対向面上に配置され前記対向方向に対して略直角をなす軸線を中心とする円弧状に形成された。
【００１１】
同構成によれば、対向面上に配置され前記対向方向に対して略直角をなす軸線を中心として投光器及び受光器を回動させることが可能となり投光素子からの光の出射位置を変えずに投光方向（光軸方向）のみを変更することができる。
【００１２】
また、請求項４に記載の発明は、投光素子を有する投光器と該投光器に対向して配置され前記投光素子と対をなす受光素子を有する受光器とを備えて構成される多光軸光電スイッチの前記投光器及び前記受光器のうち少なくともいずれか一方の本体を、回動可能な状態で所定の取付箇所に取り付ける多光軸光電スイッチの取付具において、前記投光素子及び前記受光素子の対向方向に沿った方向へと突出する突出部に円弧面を備えるとともに前記取付箇所に固定される第１部材と、前記円弧面と同一曲率で形成された曲面を有して該円弧面の周方向に沿って移動自在に支持されるとともに第１取付部材によって他方の前記本体との対向面側から前記第１部材に対する回動角度を固定される第１固定部と、前記対向面側からの着脱を許容された第２取付部材によって前記本体に固定される第２固定部と、を有する第２部材と、を備えたことを特徴とする。
【００１３】
同構成によれば、第２部材を多光軸光電スイッチ本体に固定する第２取付部材は対向面側からの着脱を許容されるため、対向方向に沿った方向に対して直角な方向にスペースがない場合でも第２部材の第１固定部を第１部材に固定したまま多光軸光電スイッチ本体を対向面側から取り外すことができる。そのため、取付箇所に対する第２部材の角度を保持したまま多光軸光電スイッチ本体を交換することが可能となり、多光軸光電スイッチ本体を交換する際には多光軸光電スイッチ本体を第２部材の第２固定部に固定することによって取付箇所に対する多光軸光電スイッチ本体の角度を交換の前後で一致させることができる。よって、多光軸光電スイッチ本体を取り替える毎に投光（受光）角度を調整しなおすことなく多光軸光電スイッチ本体の交換を行うことができる。
【００１４】
また、請求項５に記載の発明は、請求項４に記載の多光軸光電スイッチの取付具において、前記第１取付部材は、前記第１固定部の対向面側の面に沿うように形成された当接面を有する第３部材を備え、前記第２部材は、前記第１部材の前記円弧面と前記第３部材の前記当接面とによって前記第１固定部を狭持されて前記第１部材に固定された。
【００１５】
同構成によれば、第２部材は第１部材の円弧面と第３部材の当接面とによって第１固定部を狭持されて第１部材に固定されるため、第２部材をより確実に第１部材に固定することができる。
【００１６】
また、請求項６に記載の発明は、請求項４又は５に記載の多光軸光電スイッチの取付具において、前記円弧面は、前記対向面上に配置され前記対向方向に対して略直角をなす軸線を中心とする円弧状に形成された。
【００１７】
同構成によれば、対向面上に配置され前記対向方向に対して略直角をなす軸線を中心として投光器及び受光器を回動させることが可能となり投光素子からの光の出射位置を変えずに投光方向（光軸方向）のみを変更することができる。
請求項７に記載の発明は、投光素子を有する投光器と該投光器に対向して配置され前記投光素子と対をなす受光素子を有する受光器とを備えて構成される多光軸光電スイッチであって、前記投光器及び前記受光器のうち少なくともいずれか一方の本体は、所定の取付箇所に対して回動可能な状態で取り付けられ、前記投光素子及び前記受光素子の対向方向に沿った方向へと突出する突出部に円弧面を備えるとともに前記取付箇所に固定される第１部材と、前記円弧面と同一曲率で形成された曲面を有して該円弧面の周方向に沿って移動自在に支持されるとともに第１取付部材によって他方の前記本体との対向面側から前記第１部材に対する回動角度を固定される第１固定部と、前記対向面側からの着脱を許容された第２取付部材によって前記本体に固定される第２固定部と、を有する第２部材と、を備えたことを特徴とする。
【発明の効果】
【００１８】
本発明によれば、多光軸光電スイッチ本体を取り替える毎に投光（受光）角度を調整しなおすことなく多光軸光電スイッチ本体の交換を行うことができる多光軸光電センサの取付構造、多光軸光電スイッチの取付具及び多光軸光電スイッチを得ることができる。
【発明を実施するための最良の形態】
【００１９】
（第１実施形態）
以下、本発明を具体化した第１実施形態を図面に従って説明する。
図１に示すように、多光軸光電スイッチ１０は、矩形状に開口した検出箇所Ｅの１対の対向壁（所定の取付箇所）Ｗ，Ｗの一方側に配置された多光軸光電スイッチ本体としての投光器１１ａと、他方側に所定の検出領域を挟んで対向して配置された多光軸光電スイッチ本体としての受光器１１ｂと、から構成されている。
【００２０】
図２に示すように、投光器１１ａは断面略コ字状に形成された本体ケース１２を備え、該本体ケース１２には投光ユニット１３が収容されている。投光ユニット１３は、略筒状に形成された収容ケース１４を備えている。収容ケース１４には一側面側に設けられた開口部を透光部材で封鎖されてなる投光窓１４ａが設けられるとともに該投光窓１４ａに向けて一列状に配された複数（本実施形態では１０個）の投光素子１５が収容されている。また、投光ユニット１３の下端側には、光軸合わせに応じた点灯動作をする光軸合わせ表示灯、投光動作の制御に応じた点灯動作をする動作表示灯や異常表示灯など、複数の表示灯１６が並設されている。上記本体ケース１２の長手方向下端には、箱状をなすキャップ部材１７が嵌着されている。本体ケース１２の下端側に配設されたキャップ部材１７には、本体ケース１２が装着される面とは反対側の面から基端側を投光ユニット１３の内部回路に電気的に接続された信号ケーブル１８が導出され、該信号ケーブル１８の先端にはコネクタ１８ａが装着されている。受光器１１ｂは、前記複数の投光素子１５のそれぞれと対をなし一列状に配列された複数の受光素子（図示せず）を備えている。投光器１１ａ及び受光器１１ｂ間に物体が存在すると、その物体により投光器１１ａから出射され受光器１１ｂに向う光が遮られるため、物体が存在しないときに比べて受光器１１ｂでの受光量レベルが低下する。従って、受光器１１ｂでの受光量レベルを測定することで所定の検出領域内を通過する物体が検出される。
【００２１】
また、図１に示すように、投光器１１ａ及び受光器１１ｂは該取付具２０によって、それぞれ前記対向壁Ｗ，Ｗに、各素子１５の対向方向に対して略直角をなす回動軸を中心に回動可能に取付けられている。
【００２２】
次に、投光器１１ａに取り付けられる取付具２０について詳しく説明する。なお、以下の説明において投光器１１ａ及び受光器１１ｂの各素子が向けられる対向方向を前方、対向壁Ｗ側を後方とする。また、各素子１５の対向方向に対して略直角をなす方向を投光器１１ａ（受光器１１ｂ）の長手方向とする。
【００２３】
図３に示すように、取付具２０は、前記対向壁Ｗに固定される第１部材３０と、該第１部材３０の前方側に配置され前記投光器１１ａの上端部に固定される第２部材４０と、前記第１部材３０と前記第２部材４０とを固定する第１取付部材５０と、を備えている。
【００２４】
図４及び図５に示すように、第１部材３０は、対向壁Ｗに取り付けられる略矩形状の平板部３１と該平板部３１から前方側へと立設された立設部３３によって対向方向に沿った方向へと突出する突出部３２とが、前後方向に沿って伸びる立設部３３によって連結され一体的に形成されている。
【００２５】
平板部３１には、該平板部３１を前後方向に貫く一対の固定ねじ孔３１ａ，３１ａが形成されている。第１部材３０は、該固定ねじ孔３１ａ，３１ａに前方側から挿通される一対の固定用ねじ３４，３４（図１参照）が対向壁Ｗに形成されたねじ穴（図示略）に螺合することで、対向壁Ｗに固着される。なお、固定ねじ孔３１ａ，３１ａは、投光器１１ａの長手方向（図１で上下方向）に延びる長孔となっており、第１部材３０の位置を長手方向に調整しながら対向壁Ｗに取り付けることができる。また、投光器１１ａの長手方向において平板部３１の投光器１１ａ側の端部には前記立設部３３が設けられ、該立設部３３の前方側端部から長手方向先端側へと延びる略円弧状の断面形状を有する突出部３２が形成されている。
【００２６】
突出部３２は後方側へと突出する円弧面３２ａを備えている。また、突出部３２の略中央部分には１つの貫通孔３２ｂが形成されている。なお、図６に示すように、平板部３１において突出部３２に形成された貫通孔３２ｂに対向する位置には、ネジ孔３１ｂが形成されている。
【００２７】
図４及び図５に示すように、第２部材４０は、前記突出部３２の前方側の円弧面３２ａと略同一の曲率を有する円弧状に形成された第１固定部４１と、投光器１１ａに固定される第２固定部４２と、を備えている。第１固定部４１は、前記突出部３２の前方側の円弧面３２ａと略同一の曲率を有する断面略円弧状に形成され、前記円弧面３２ａに案内される案内部４１ａを備えている。
【００２８】
案内部４１ａの略中央部分には、前記第１部材３０の突出部３２に設けられた貫通孔３２ｂの直径よりも大きな幅を有するとともに案内部４１ａの周方向に沿って延びる長孔４３が貫通形成されている。第２部材４０は、案内部４１ａの後方側の曲面４１ｃが前記第１部材３０の円弧面３２ａに案内されることにより、前記円弧面３２ａの円弧中心を貫き長手方向に沿った方向に延びる軸線Ｘを中心として回動する。
【００２９】
図５に示すように、案内部４１ａの周方向略中央部分の長手方向基端部には長手方向に沿って投光器１１ａ側へと延設されてなる延設部４１ｂが一体的に形成されており、該延設部４１ｂの周方向両端には、それぞれ第２固定部４２，４２が形成されている。第２固定部４２，４２はそれぞれ前記投光器１１ａの後方側の面に沿った平板状に形成され、その略中央部分にはネジ孔４２ａが形成されている。ここで、図７に示すように、投光器１１ａにおいて第２固定部４２のネジ孔４２ａに対応する位置には、投光器１１ａの本体ケース１２の前方側側面１２ａから後方側側面１２ｂまで前後方向に貫く本体貫通孔１９，１９が形成されている。第２部材４０は、該本体貫通孔１９，１９に前方側から挿通された第２取付部材としての本体固定用ねじ６０，６０が第２固定部４２，４２に形成されたネジ孔４２ａ，４２ａに螺合されることによって、投光器１１ａに固定される。
【００３０】
図４及び図５に示すように、第１取付部材５０は、前記第２部材４０の案内部４１ａに沿って配設される第３部材５１と、取付ねじ５２とから構成されている。
第３部材５１は断面半円状の形状を有し、前記第２部材４０の案内部４１ａに前方側から当接する当接面５１ａを備えている。当接面５１ａは前記第２部材４０の案内部４１ａと略同一の曲率を有する円弧面となっている。また、第３部材５１のうち当接面５１ａとは反対側の平坦面５１ｂの略中央部分には、平坦面５１ｂから当接面５１ａまで貫通するねじ挿通孔５１ｃが形成されている。
【００３１】
取付ねじ５２は、前方側から該第３部材５１のねじ挿通孔５１ｃと第２部材４０の長孔４３と第１部材３０の突出部３２に設けられた貫通孔３２ｂとに順に挿通される。そして、取付ねじ５２が第１部材３０の平板部３１に設けられたネジ孔３１ｂに螺合されることで、第２部材４０が第３部材５１と第１部材３０とに狭持され第１部材３０に固定され、投光器１１ａが対向壁Ｗに取り付けられる。
【００３２】
ここで、投光素子１５からの出射光の投光方向（光軸方向）を調整する際は、第３部材５１の平坦面５１ｂに設けられている取付ねじ５２を前方側から緩めることで、第２部材４０の第１部材３０の突出部３２の長孔４３の長さに応じた角度だけの周方向に沿った移動が可能となる。投光器１１ａを回動させることが可能となり、投光器１１ａを対向壁Ｗに取り付けたまま出射光の投光方向（光軸方向）を調整することができる。そして、各投光素子１５からの出射光がそれぞれと対をなす受光器１１ｂの受光素子に受光される角度になったら、再び取付ねじ５２を締め付けて固定する。なお、受光器１１ｂ側も上記投光器１１ａと同様の構造で対向壁Ｗに回動可能な状態で設定され、もって投光器１１ａの各投光素子１５の光軸と、受光器１１ｂの各受光素子の光軸とが一致するように互いに回動させて光軸方向の調整を行うことができる。
【００３３】
また、投光器１１ａ（受光器１１ｂ）の交換を行う際は、前記本体固定用ねじ６０を前方側から操作し取り外すことによって、第２部材４０を第１部材３０に固定したまま投光器１１ａ（受光器１１ｂ）の交換を行うことができる。
【００３４】
上記したように、第１実施形態によれば、以下の効果を有する。
（１）第２部材４０を投光器１１ａに固定する本体固定用ねじ６０，６０は投光器１１ａに設けられた本体貫通孔１９，１９に挿通され前方側からの着脱を許容されるため、投光器１１ａの長手方向にスペースがない場合でも第２部材４０の第１固定部４１を第１部材３０に固定したまま投光器１１ａを前方側から取り外すことができる。そのため、対向壁Ｗに対する第２部材４０の角度を保持したまま投光器１１ａを交換することが可能となり、投光器１１ａを交換する際には投光器１１ａを第２部材４０の第２固定部に固定することによって対向壁Ｗに対する投光器１１ａの角度を交換の前後で一致させることができる。よって、投光器１１ａを取り替える毎に投光（受光）角度を調整しなおすことなく投光器１１ａの交換を行うことができる。
【００３５】
（２）第２部材４０は第１部材３０の円弧面３２ａと第３部材５１の当接面５１ａとによって第１固定部４１を狭持されて第１部材３０に固定されるため、第２部材４０をより確実に第１部材３０に固定することができる。
【００３６】
（第２実施形態）
次に、図８を用いて、本発明に係る取付具７０の第２の実施形態について説明する。なお、本実施形態に係る取付具７０は、第１部材７１の突出部７２の円弧面７３が対向面としての投光器１１ａの前方側側面７４上に配置され各素子１５の対向方向に対して略直角をなす軸線Ｘ１を中心とする円弧状に形成されている。このような構成によれば、投光窓１４ａの前方側側面７４上に配置され各素子１５の対向方向に対して略直角をなす軸線Ｘ１を中心として投光器１１ａ（受光器１１ｂ）を回動させることが可能となり、投光素子１５からの光の出射位置を変えずに投光方向（光軸方向）のみを変更することができる。また、受光器１１ｂであれば各受光素子に受光される受光可能位置を変えずに受光方向（光軸方向）だけを変えることができる。
【００３７】
尚、上記第１実施形態及び第２実施形態は、以下のように変更してもよい。
・上記実施形態では、第２部材４０は、第３部材５１と第１部材３０とによって狭持されているがこのような態様に限定されず、第２部材４０を前方側から第１部材３０に固定可能な構成であれば適宜変更可能である。例えば、図９に示すように、第２部材４０は、取付ねじ８０の前記第２部材４０の案内部４１ａと略同一の曲率を有する当接部８１と第１部材３０の突出部３２とによって狭持される態様で第１部材３０に固定されるといった構成を採用することもできる。
【００３８】
・上記実施形態では、第１部材３０の突出部３２は略円弧状に形成されているが、配列方向に対して略垂直な方向へと突出する円弧面３２ａを備えていればよく、例えば、図１０に示すように第１部材８２の突出部８３は前方側に円弧面８３ａ、後方側に平面８４を有する構成とすることもできる。また、第２部材４０の第１固定部４１は前記第１部材３０の円弧面３２ａと同一の曲率を有する曲面４１ｃを備えていればよく、例えば、第２部材８５の第１固定部８６は、図１０に示すように、後方側に曲面８６ａ、前方側に平面８７を有する構成とすることもできる。また、図示しないが、第１部材は、対向壁Ｗに取り付けられる矩形の平板部と、該平板部の一端縁部において立ちあがり形成され配列方向に対して略垂直な方向へと突出する円弧面を有する起立壁部と、が一体的に形成された略Ｌ字状の断面形状に形成されていてもよい。
【００３９】
・上記実施形態では、第２部材４０は前方側から挿通される取付ねじ５２が第１部材３０のネジ孔３１ｂに螺合されることによって第１部材３０に固定されているがこのような態様に限定されない。例えば、図１１に示すように、第２部材４０は第１部材８８の平板部８９に固定され前方側へと伸びる固定ねじ９０を設け、該固定ねじ９０に前方側からナット９１を螺合させることによって第２部材４０を第１部材８８に固定するといった構成を採用することもできる。
【００４０】
・上記実施形態では、投光器１１ａは投光器１１ａを貫通する本体貫通孔１９，１９に挿通された本体固定用ねじ６０，６０が第２部材４０の第２固定部４２に螺合することによって、第２部材４０に前方側から固定されているがこのような態様に限定されない。例えば、投光器に前方側側面から後方側へと伸びるネジ孔を形成し、該ネジ孔に螺合する本体固定用ねじによって第２部材の第２固定部が投光器の前方側に固定されることによって、投光器が取付箇所に固定されるといった構成を採用することもできる。
【００４１】
・上記実施形態では、第１取付部材を構成する取付ねじ５２を１本設ける構成としたが、これに限らず、２本以上であってもよい。
・上記実施形態では、突出部３２の円弧面３２ａは後方側へと突出する円弧状に形成されているが、このような態様に限定されず、円弧面３２ａは前方側へと突出する円弧上に形成されていてもよい。
【図面の簡単な説明】
【００４２】
【図１】第１実施形態の多光軸光電スイッチを示す斜視図。
【図２】投光器の正面図。
【図３】第１実施形態の多光軸光電スイッチの取付具を示す斜視図。
【図４】第１実施形態の多光軸光電スイッチの取付具を示す平面図。
【図５】第１実施形態の多光軸光電スイッチの取付具を示す分解斜視図。
【図６】第１実施形態の多光軸光電スイッチの取付具の一部断面図。
【図７】投光器の着脱を説明するための斜視図。
【図８】第２実施形態の多光軸光電スイッチの取付構造を示す平面図。
【図９】別の多光軸光電スイッチの取付具を示す平面図。
【図１０】別の多光軸光電スイッチの取付具を示す平面図。
【図１１】別の多光軸光電スイッチの取付具を示す平面図。
【符号の説明】
【００４３】
１０…多光軸光電スイッチ、１１ａ…多光軸光電スイッチ本体としての投光器、１１ｂ…多光軸光電スイッチ本体としての受光器、１９，１９…本体貫通孔、１５…投光素子、２０，７０…取付具、３０，７１，８２，８８…第１部材、３２，７２，８３…突出部、３２ａ，７３，８３ａ…円弧面、４０，８５…第２部材、４１，８６…第１固定部、４１ｃ，８６ａ…曲面、４２…第２固定部、５０…第１取付部材、５１…第１取付部材を構成する第３部材、５２，８０…第１取付部材を構成する取付ねじ、５１ａ…当接面、６０，６０…第２取付部材としての本体固定用ねじ、Ｘ，Ｘ１…軸線。
【図１】
0004724560.tif 000002
【図２】
0004724560.tif 000003
【図３】
0004724560.tif 000004
【図４】
0004724560.tif 000005
【図５】
0004724560.tif 000006
【図６】
0004724560.tif 000007
【図７】
0004724560.tif 000008
【図８】
0004724560.tif 000009
【図９】
0004724560.tif 000010
【図１０】
0004724560.tif 000011
【図１１】
0004724560.tif 000012